【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
睡眠補助のためのウェアラブルデバイスであって、前記ウェアラブルデバイスは、
前記ウェアラブルデバイスのユーザの１つ又はいくつかのバイタルサインを検知する少なくとも１つのセンサと、
睡眠支援テクニックのセットを記憶するメモリであって、各睡眠支援テクニックは、前記ユーザが入眠することを促進するインストラクションを含み、且つ、前記インストラクションに従う前記ユーザに前記睡眠支援テクニックが影響すると見積もられた微睡時間と関連付けられる、メモリと、
前記睡眠支援テクニックの前記セットからの睡眠支援テクニックの選択を受信し、選択された前記睡眠支援テクニックの前記インストラクションを前記ユーザに与えるインターフェースと、
前記ユーザの前記バイタルサインに基づいて前記微睡時間を更新し、更新された前記微睡時間に基づいて、少なくとも１つの所定のアクションを実行するためのスケジュールを決定し、前記スケジュールに従って前記所定のアクションを実行するプロセッサと
を備える、ウェアラブルデバイス。
【請求項２】
前記プロセッサは、更新された前記微睡時間を選択された前記睡眠支援テクニックの履歴睡眠データ内に付加し、前記履歴睡眠データを使用して、選択された前記睡眠支援テクニックのその後の起動のための前記微睡時間を決定する、請求項１に記載のウェアラブルデバイス。
【請求項３】
前記プロセッサは、前記履歴睡眠データに付加された複数の更新された微睡時間を平均化することによって、前記微睡時間を決定する、請求項２に記載のウェアラブルデバイス。
【請求項４】
前記プロセッサは、前記インストラクションに従う前記ユーザのアクションを追跡するため、前記ウェアラブルデバイスのセンサのセットからセンサを選択し、前記ユーザが、前記睡眠支援テクニックの選択の後に、前記インストラクションに従っていなかったときに、前記微睡時間を延長する、請求項１に記載のウェアラブルデバイス。
【請求項５】
前記プロセッサは、前記ユーザの前記バイタルサインの少なくともいくつかの値と前記微睡時間の分割部分との間の相関関係に基づいて、前記微睡時間を更新する、請求項１に記載のウェアラブルデバイス。
【請求項６】
前記メモリは、第１のバイタルサイン、第１のインストラクション及び第１の微睡時間に関連付けられた第１の睡眠支援テクニックと、第２のバイタルサイン、第２のインストラクション及び第２の微睡時間に関連付けられた第２の睡眠支援テクニックとを含む睡眠支援テクニックのセットを記憶し、前記第１のバイタルサインは前記第２のバイタルサインとは異なり、前記第１のインストラクションは前記第２のインストラクションとは異なり、前記第１の微睡時間は前記第２の微睡時間とは異なる、請求項１に記載のウェアラブルデバイス。
【請求項７】
前記インターフェースは、前記睡眠支援テクニックの前記インストラクションを表示するディスプレイデバイス及び前記睡眠支援テクニックの前記インストラクションを発声するスピーカのうちの１つ又はそれらの組み合わせを含む、請求項１に記載のウェアラブルデバイス。
【請求項８】
前記少なくとも１つの所定のアクションは、ドアを施錠又は開錠すること、発せられる照明の量を増加又は減少させること、電気器具をオフ又はオンにすること、及び音響デバイスにおける音量を増加又は減少させることのうちの１つ又はそれらの組み合わせを含む、請求項１に記載のウェアラブルデバイス。
【請求項９】
前記メモリは、前記ユーザの微睡ステージを規定する転換ポイントのセットと、種々の微睡ステージに関連付けられた所定のアクションのセットとを記憶し、前記プロセッサは、前記ユーザの現在の微睡ステージを前記バイタルサインの現在値に基づいて判定し、前記現在の微睡ステージに関連付けられた前記所定のアクションを実行する、請求項１に記載のウェアラブルデバイス。
【請求項１０】
ウェアラブルデバイスのユーザへの睡眠補助のための方法であって、前記方法は、
前記ウェアラブルデバイスの前記ユーザの１つ又はいくつかのバイタルサインを検知するステップと、
睡眠支援テクニックを選択するステップであって、前記睡眠支援テクニックは、前記ユーザが入眠することを促進する１つ又は複数のインストラクションと、前記インストラクションに従う前記ユーザに前記睡眠支援テクニックが影響すると見積もられた微睡時間とに関連付けられる、ステップと、
前記ユーザの前記バイタルサインに基づいて前記微睡時間を更新するステップと、
更新された前記微睡時間に基づいて、少なくとも１つの所定のアクションを実行するためのスケジュールを決定するステップと、
前記スケジュールに従って前記所定のアクションを実行するステップと
を含む方法であって、
前記方法の少なくともいくつかのステップは前記ウェアラブルデバイスのプロセッサによって実行される、方法。
【請求項１１】
更新された前記微睡時間を前記睡眠支援テクニックの履歴睡眠データ内に付加するステップと、
前記履歴睡眠データを使用して、前記睡眠支援テクニックのその後の選択のための前記微睡時間を決定するステップと
を更に含む、請求項１０に記載の方法。
【請求項１２】
前記選択するステップは、
第１のインストラクション及び第１の微睡時間に関連付けられた第１の睡眠支援テクニックと、第２のインストラクション及び第２の微睡時間に関連付けられた第２の睡眠支援テクニックとを含む睡眠支援テクニックのセットを取得するステップであって、前記第１のインストラクションは前記第２のインストラクションとは異なり、前記第１の微睡時間は前記第２の微睡時間とは異なる、ステップと、
睡眠支援テクニックの前記セットを前記ウェアラブルデバイスのグラフィカルユーザインターフェース（ＧＵＩ）にレンダリングするステップと、
前記レンダリングに応答して前記第１の睡眠支援テクニックの選択を受信するステップと
を更に含む、請求項１０に記載の方法。
【請求項１３】
前記睡眠支援テクニックの前記インストラクションに従う前記ユーザのアクションを追跡するステップと、
前記ユーザが、前記睡眠支援テクニックの前記選択の後に、前記インストラクションに従っていなかったときに、前記微睡時間を延長するステップと
を更に含む、請求項１０に記載の方法。
【請求項１４】
前記少なくとも１つの所定のアクションは、ドアを施錠又は開錠すること、発せられる照明の量を増加又は減少させること、電気器具をオフ又はオンにすること、及び音響デバイスにおける音量を増加又は減少させることのうちの１つ又はそれらの組み合わせを含む、請求項１０に記載の方法。
【請求項１５】
非一時的コンピュータ可読記憶媒体上で具現化されるプログラムを有する当該非一時的コンピュータ可読記憶媒体であって、当該プログラムは方法を実行するためにプロセッサによって実行可能であり、前記方法は、
ウェアラブルデバイスのユーザの１つ又はいくつかのバイタルサインを検知することと、
睡眠支援テクニックを選択することであって、前記睡眠支援テクニックは、前記ユーザが入眠することを促進する１つ又は複数のインストラクションと、前記インストラクションに従う前記ユーザに前記睡眠支援テクニックが影響すると見積もられた微睡時間とに関連付けられる、ことと、
前記ユーザの前記バイタルサインに基づいて前記微睡時間を更新することと、
更新された前記微睡時間に基づいて、少なくとも１つの所定のアクションを実行するためのスケジュールを決定することと、
前記スケジュールに従って前記所定のアクションを実行することと
を含む、非一時的コンピュータ可読記憶媒体。